(57)【要約】      （修正有）【課題】粒子群の各セル内での充填状態をより正確に検査することができ、均一な粒子群の充填に寄与できる、情報表示用パネルの検査方法および検査装置を提供する。【解決手段】（１）撮像装置にて基板全面を撮像し、（２）撮像した画像において各セル内を複数の画素に分割し、（３−１）画素毎に２値化処理を行い、２値化しきい値を超えた画素数を各セル内の画素数で除した値を各セルの粒子充填量に換算、あるいは、（３−２）画素毎に濃度を求め、各セル内の平均濃度を求め、平均濃度を各セルの粒子充填量に換算し、（４）表示エリア毎に粒子充填量の平均値、標準偏差を算出し、（５）各表示エリアで標準偏差を平均値で除した値を充填量面内分布として求めて面内分布しきい値と比較し、（６）すべての表示エリアにおいて、充填量面内分布が面内分布しきい値以下である場合に、各セル内に充填した粒子充填状態が均一であると判定する。【選択図】図４
2011247939.tif 000002
【特許請求の範囲】
【請求項１】
少なくとも一方が透明な２枚の基板を対向配置した基板間を、隔壁で仕切って形成した各セル内に、表示媒体を構成する粒子群を配置し、粒子群を電界で移動させて情報を表示する情報表示用パネルの検査方法であって、
前記各セル内の粒子充填状態を検査するにあたり、
（１）１セルに対して複数の画素で撮像できる撮像装置を用いて基板面を撮像し、
（２）前記画素毎に２値化処理を行い、
（３）前記２値化処理後の画素データに基づき、前記各セル毎に粒子充填量を求め、
（４）前記基板上の複数のセルにより構成される表示エリアに対し、表示エリア毎に前記粒子充填量の平均値、標準偏差を算出し、
（５）前記各表示エリアで標準偏差を平均値で除した値を充填量面内分布として求め、求めた充填量面内分布を予め定めた面内分布しきい値と比較し、
（６）すべての表示エリアにおいて、充填量面内分布が面内分布しきい値以下である場合に、各セル内に充填した粒子充填状態が均一であると判定する、
ことを特徴とする情報表示用パネルの検査方法。
【請求項２】
少なくとも一方が透明な２枚の基板を対向配置した基板間を、隔壁で仕切って形成した各セル内に、表示媒体を構成する粒子群を配置し、粒子群を電界で移動させて情報を表示する情報表示用パネルの検査方法であって、
前記各セルの粒子充填状態を検査するにあたり、
（１）１セルに対して複数の画素を撮像できる撮像装置を用いて基板面を撮像し、
（２）前記画素毎に濃度を求め、
（３）前記画素毎に求めた濃度に基づき、前記各セル毎に粒子充填量を求め、
（４）前記基板内の複数のセルにより構成される表示エリアに対し、表示エリア毎に前記粒子充填量の平均値、標準偏差を算出し、
（５）前記各表示エリアで標準偏差を平均値で除した値を充填量面内分布として求め、求めた充填量面内分布を予め定めた面内分布しきい値と比較し、
（６）すべての表示エリアにおいて、充填量面内分布が面内分布しきい値以下である場合に、各セル内に充填した粒子充填状態が均一であると判定する、
ことを特徴とする情報表示用パネルの検査方法。
【請求項３】
撮像装置にて基板全面を撮像する際、基板に対し、基板下側から照明を照射する透過照明と撮影面から照明を照射する反射照明とを用いることを特徴とする請求項１または２に記載の情報表示用パネルの検査方法。
【請求項４】
画像処理をするに際し、基板の隔壁をマスクをかけることで除去することを特徴とする請求項１〜３のいずれか１項に記載の情報表示用パネルの検査方法。
【請求項５】
請求項１〜４の情報表示用パネルの検査方法を実施するための検査装置において、基板を照明する照明装置と、基板を撮像する撮像装置と、撮像した画像から各セル内に充填した粒子充填状態を判定する画像処理装置と、を少なくとも含むことを特徴とする情報表示用パネルの検査装置。
【発明の詳細な説明】
【技術分野】
【０００１】
本発明は、少なくとも一方が透明な２枚の基板を対向配置した基板間を、隔壁で仕切って形成した各セル内に、表示媒体を構成する粒子群を配置し、粒子群を電界で移動させて情報を表示する情報表示用パネルの検査方法および検査装置であって、特に、基板上隔壁で仕切って形成した各セルに充填した粒子充填状態を検査する情報表示用パネルの検査方法および検査装置に関するものである。
【背景技術】
【０００２】
従来、情報表示用パネルの粒子充填工程において、基板の背面に配置した光源から均一光束を照射したときの均一光束の透過光分布を光検出手段で測定し、ＰＣにおいて光検出手段の出力信号を解析して、透過輝度の面内標準偏差に基づいて基板のセル内に充填された粒子の粒子分布状態（均一性）を評価することが知られている（例えば、特許文献１参照）。上述した特許文献１に記載の技術では、基板のセル内に粒子を上方から散布して充填する場合の粒子分布状態を評価しており、比較的均一に粒子充填が可能である散布による粒子充填工程の中間検査としては十分であった。
【０００３】
近年、情報表示用パネルを製造する際の粒子充填工程において、セルを形成するために基板上に形成した隔壁上にマスクを配置して、このマスク上に載せた粒子群を粒子移動部材でマスク上を移動させながらマスクの開口部から落下させて、基板上のセル内に粒子群を充填する方法が実施されるようになってきた（例えば、特許文献２参照）。
【先行技術文献】
【特許文献】
【０００４】
【特許文献１】特開２００６−３９１１９号公報
【特許文献２】特開２００７−１４８３８１号公報
【発明の概要】
【発明が解決しようとする課題】
【０００５】
上述した特許文献１に記載の方法では、基板のセル内に充填された粒子の粒子分布状態（均一性）を隔壁込みで評価することになるため、隔壁の仕上がり状態により透過輝度値が異なり、正確な測定を行うには不充分であるという問題があった。また、上述した特許文献２の粒子充填工程に従って、粒子群を移動させながらマスクの開口部から落下させて、基板上のセル内に粒子群を充填する方法では、マスクの開口部下の位置（通常セルの中心）に粒子群が山状に充填されることが多かった。このような粒子充填状態を従来の例えば特許文献１に記載の方法で評価しても、粒子の不均一性を正確に判断できない場合が生じる問題があった。
【０００６】
本発明の目的は上述した問題点を解消して、粒子群の各セル内での充填状態をより正確に検査することができ、均一な粒子群の充填に寄与できる、情報表示用パネルの検査方法および検査装置を提供しようとするものである。
【課題を解決するための手段】
【０００７】
本発明の情報表示用パネルの検査方法の第１発明は、少なくとも一方が透明な２枚の基板を対向配置した基板間を、隔壁で仕切って形成した各セル内に、表示媒体を構成する粒子群を配置し、粒子群を電界で移動させて情報を表示する情報表示用パネルの検査方法であって、前記各セル内の粒子充填状態を検査するにあたり、（１）１セルに対して複数の画素で撮像できる撮像装置を用いて基板面を撮像し、（２）前記画素毎に２値化処理を行い、（３）前記２値化処理後の画素データに基づき、前記各セル毎に粒子充填量を求め、（４）前記基板上の複数のセルにより構成される表示エリアに対し、表示エリア毎に前記粒子充填量の平均値、標準偏差を算出し、（５）前記各表示エリアで標準偏差を平均値で除した値を充填量面内分布として求め、求めた充填量面内分布を予め定めた面内分布しきい値と比較し、（６）すべての表示エリアにおいて、充填量面内分布が面内分布しきい値以下である場合に、各セル内に充填した粒子充填状態が均一であると判定する、ことを特徴とするものである。
【０００８】
本発明の情報表示用パネルの検査方法の第２発明は、少なくとも一方が透明な２枚の基板を対向配置した基板間を、隔壁で仕切って形成した各セル内に、表示媒体を構成する粒子群を配置し、粒子群を電界で移動させて情報を表示する情報表示用パネルの検査方法であって、前記各セルの粒子充填状態を検査するにあたり、（１）１セルに対して複数の画素を撮像できる撮像装置を用いて基板面を撮像し、（２）前記画素毎に濃度を求め、（３）前記画素毎に求めた濃度データに基づき、前記各セル毎に粒子充填量を求め、（４）前記基板内の複数のセルにより構成される表示エリアに対し、表示エリア毎に前記粒子充填量の平均値、標準偏差を算出し、（５）前記各表示エリアで標準偏差を平均値で除した値を充填量面内分布として求め、求めた充填量面内分布を予め定めた面内分布しきい値と比較し、（６）すべての表示エリアにおいて、充填量面内分布が面内分布しきい値以下である場合に、各セル内に充填した粒子充填状態が均一であると判定する、ことを特徴とするものである。
【０００９】
上述した情報表示用パネルの検査方法の第１発明および第２発明の好適例としては、撮像装置にて基板全面を撮像する際、基板に対し、基板下側から照明を照射する透過照明と撮影面から照明を照射する反射照明とを用いること、画像処理をするに際し、基板の隔壁をマスクをかけることで除去すること、がある。
【００１０】
また、本発明の情報表示用パネルの検査装置は、上述した情報表示用パネルの検査方法を実施するための検査装置において、基板を照明する照明装置と、基板を撮像する撮像装置と、撮像した画像から各セル内に充填した粒子充填状態を判定する画像処理装置と、を少なくとも含むことを特徴とするものである。
【発明の効果】
【００１１】
本発明によれば、各セル内の粒子充填状態を検査するにあたり、（１）１セルに対して複数の画素で撮像できる撮像装置を用いて基板面を撮像し、（２−１）画素毎に２値化処理を行い、（３−１）２値化処理後の画素データに基づき、各セル毎に粒子充填量を求め、あるいは、（２−２）画素毎に濃度を求め、（３−２）画素毎に求めた濃度データに基づき、各セル毎に粒子充填量を求め、（４）基板上の複数のセルにより構成される表示エリアに対し、表示エリア毎に粒子充填量の平均値、標準偏差を算出し、（５）各表示エリアで標準偏差を平均値で除した値を充填量面内分布として求め、求めた充填量面内分布を予め定めた面内分布しきい値と比較し、（６）すべての表示エリアにおいて、充填量面内分布が面内分布しきい値以下である場合に、各セル内に充填した粒子充填状態が均一であると判定する、ことで、粒子群の各セル内での充填状態をより正確に検査することができ、均一な粒子群の充填に寄与できる、情報表示用パネルの検査方法および検査装置を得ることができる。
【図面の簡単な説明】
【００１２】
【図１】（ａ）、（ｂ）はそれぞれ本発明の検査方法および検査装置の検査対象となる帯電粒子駆動型の情報表示用パネルの一例を説明するための図である。
【図２】（ａ）、（ｂ）はそれぞれ本発明の検査方法および検査装置の検査対象となる帯電粒子駆動型の情報表示用パネルの他の例を説明するための図である。
【図３】本発明の情報表示用パネルの検査方法が対象とする粒子充填工程の一例を説明するための図である。
【図４】（ａ）〜（ｄ）はそれぞれ本発明の情報表示用パネルの検査方法の第１発明の一例を説明するための図である。
【図５】本発明の情報表示用パネルの検査方法におけるパネル測定箇所の位置を説明するための図である。
【図６】本発明の情報表示用パネルの検査方法における粒子充填の均一性の判定方法を説明するための図である。
【図７】（ａ）〜（ｄ）はそれぞれ本発明の情報表示用パネルの検査方法の第２発明の一例を説明するための図である。
【図８】本発明の情報表示用パネルの検査装置の一例を説明するための図である。
【図９】本発明の情報表示用パネルの検査装置の他の例を説明するための図である。
【発明を実施するための形態】
【００１３】
＜本発明の検査方法および検査装置の検査対象となるパネル構造の一例について＞
まず、本発明の検査方法および検査装置の検査対象となる情報表示用パネルの一例である帯電粒子駆動型情報表示用パネルの基本的な構成について説明する。前記情報表示用パネルでは、対向する２枚の基板間に封入した帯電性粒子を含んだ粒子群として構成した表示媒体に対向電極対から電界が付与される。付与された電界方向にそって、表示媒体が電界による力やクーロン力などによって引き寄せられ、表示媒体が電界方向の変化によって移動方向が切り換わることにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１４】
本発明の検査方法および検査装置の検査対象となる帯電粒子駆動型の情報表示用パネルの例を、図１（ａ）、（ｂ）〜図２（ａ）、（ｂ）に基づき説明する。
【００１５】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セル７において、背面側のパネル基板１に設けた電極５（ストライプ電極）と観察側の透明なパネル基板２に設けた透明電極６（ストライプ電極）とが対向直交交差して形成する画素電極対の間に電圧を印加することにより発生する電界に応じて、基板１、２と垂直に移動させる。そして、図１（ａ）に示すように白色表示媒体３Ｗを観察者に視認させて白色の表示を、あるいは、図１（ｂ）に示すように黒色表示媒体３Ｂを観察者に視認させて黒色の表示を白黒のドットでマトリックス表示している。なお、図１（ａ）、（ｂ）において、手前にある隔壁は省略している。また、８は接着剤である。さらに、ここではセルと画素（ドット）とが１対１に対応する例を示しているが、セルと画素とは１対１に対応させなくてもよい。
【００１６】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セル７において、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図２（ａ）に示すように白色表示媒体３Ｗを観察者に視認させて白色の表示を、あるいは、図２（ｂ）に示すように黒色表示媒体３Ｂを観察者に視認させて黒色の表示を白黒のドットでマトリックス表示している。なお、図２（ａ）、（ｂ）において、手前にある隔壁は省略している。また、８は接着剤である。さらに、ここではセルと画素（ドット）とが１対１に対応する例を示しているが、セルと画素とは１対１に対応させなくてもよい。
【００１７】
＜本発明の検査方法および検査装置が対象とする粒子充填工程の一例について＞
図３は本発明の情報表示用パネルの検査方法が対象とする粒子充填工程の一例を説明するための図である。図３に示す例では、まず、隔壁４によりセル７を設けた基板１を導電性のステージ２１上に配置する。そして、セル７の開口に対応したマスク開口部１１−１およびマスク部１１−２を有するマスク１１を隔壁４の頂上に、マスク開口部１１−１とセル７の開口とが対応するとともに隔壁４とマスク部１１−２とが対応するように、配置する。そして、マスク１１上に置かれた粒子群（ここでは白色粒子群３Ｗ）を、粒子移動部材１２を用いてマスク１１に押し当てながら移動させる。この粒子移動部材１２の移動により、粒子移動部材１２で押された白色粒子群３Ｗがマスク１１の開口部１１−１から各セル７内に落下する。なお、４ａは隔壁４が配置された情報表示領域の外周に配置される枠リブである。これにより粒子配置工程が実施される。
【００１８】
＜本発明の情報表示用パネルの検査方法について＞
本発明の情報表示用パネルの検査方法は、一例として図３に示すような方法で実施した粒子充填状態を検査するにあたり、
（１）１セルに対して複数の画素で撮像できる撮像装置を用いて基板面を撮像し、
（２−１）画素毎に２値化処理を行い、（３−１）２値化処理後の画素データに基づき、各セル毎に粒子充填量を求め、あるいは、（２−２）画素毎に濃度を求め、（３−２）画素毎に求めた濃度データに基づき、各セル毎に粒子充填量を求め、
（４）基板上の複数のセルにより構成される表示エリアに対し、表示エリア毎に粒子充填量の平均値、標準偏差を算出し、
（５）各表示エリアで標準偏差を平均値で除した値を充填量面内分布として求め、求めた充填量面内分布を予め定めた面内分布しきい値と比較し、
（６）すべての表示エリアにおいて、充填量面内分布が面内分布しきい値以下である場合に、各セル内に充填した粒子充填状態が均一であると判定する、
ことにより実施される。
【００１９】
（検査方法の第１発明について）
図４（ａ）〜（ｄ）、図５および図６はそれぞれ本発明の情報表示用パネルの検査方法の第１発明の一例を説明するための図である。図４（ａ）、（ｂ）に示す検査方法は、特に、図３に示した粒子充填方法においてセル内に粒子が山状に丸くなって充填される例に対し効果的である。
【００２０】
本例では、まず、粒子充填の終了した基板に対し、例えばＣＣＤ等の撮像装置にて基板を撮像して画像を得る。撮像装置は、１セルに対して複数の画素で撮像できるよう構成されており、１セル７において複数の画素９のデータを得ることができる。図４（ａ）は、基板全面を撮像して得た画像の一例を説明するための図であり、基板１の隔壁４で形成されたセル７内に黒色粒子群３Ｂを充填した例を示している。なお、図４（ａ）に示す例では、セル７の上部のみに黒色粒子群３Ｂを充填した例を示している。次に、図４（ｂ）に図４（ａ）の丸印の部分の４つのセル７の充填状態を示すように、撮像した画像において各セル７内を一例として１０×１０個の複数の画素に分割し、各画素９の濃度を求める。その後、図４（ｃ）に示すように、各画素９において濃度を２値化しきい値と比較することで画素毎に２値化処理を行う。そして、図４（ｄ）に示すように、２値化しきい値を超えた画素数を各セル内の画素数で除した値を１セルの面積１００％に対して粒子充填面積として求め、求めた粒子充填面積を各セルの粒子充填量に換算して求める。換算は、粒子充填面積と粒子充填量との検量線を予め取得しておくころにより、１セルの粒子充填面積から粒子充填量を求めることで、行うことができる。
【００２１】
その後、図５に示すように、基板内の複数のセルにより構成される複数の表示エリア（ここではパネルＮｏ．１〜パネルＮｏ．６０の６０箇所）に対し、表示エリア毎に粒子充填量の平均値、標準偏差を算出して求める。次に、各表示エリアで標準偏差を平均値で除した値を充填量面内分布として求め、求めた充填量面内分布を面内分布しきい値と比較する。そして、図６に表示エリアにおける充填量面内分布と面内分布しきい値との関係を示す図に示すように、すべての表示エリアにおいて、充填量面内分布が面内分布しきい値以下である場合に、各セル内に充填した粒子充填状態が均一であると判定し（ラインＡ）、一箇所でも充填量面内分布が面内分布しきい値を超えた場合に、各セル内に充填した粒子充填状態が不均一であると判定する（ラインＢ）。
【００２２】
上述した本発明に係る情報表示用パネルの検査方法の第１発明によれば、各セルを複数の画素に分割し、画素毎の濃度から粒子充填量を求めているため、粒子群の各セル内での充填状態をより正確に検査することができ、均一な粒子群の充填に寄与することができる。
【００２３】
（検査方法の第２発明について）
図７（ａ）〜（ｄ）はそれぞれ本発明の情報表示用パネルの検査方法の第２発明の一例を説明するための図である。図７（ａ）、（ｂ）に示す検査方法は、特に、セル内に粒子が均一に充填される例に対し効果的である。
【００２４】
本例では、まず、粒子充填の終了した基板に対し、例えばＣＣＤ等の撮像装置にて基板全面を撮像して画像を得る。撮像装置は、１セルに対して複数の画素で撮像できるよう構成されており、１セル７において複数の画素９のデータを得ることができる。図７（ａ）は、基板全面を撮像して得た画像の一例を説明するための図であり、基板１の隔壁４で形成されたセル７内に黒色粒子群３Ｂを充填した例を示している。なお、図７（ａ）に示す例では、セル７の上部のみに黒色粒子群３Ｂを充填した例を示している。次に、図７（ｂ）に図７（ａ）の丸印の部分の９つのセル７の充填状態を示すように、撮像した画像において各セル７内を一例として１０×１０個の複数の画素９に分割し、図７（ｃ）に示すように、各画素９の濃度を求める。その後、図７（ｄ）に示すように、複数の画素９から構成される各セル内の平均濃度を求め、求めた平均濃度を各セルの粒子充填量に換算して求める。換算は、予め求めた平均濃度と粒子充填量との関係を示す検量線を予め取得しておくことにより、１セルの平均濃度から粒子充填量を求めることで、行うことができる。
【００２５】
その後の均一性の判定は、上述した第１発明の説明において、図５および図６を参照して説明した方法と同じ方法で実施することができる。上述した本発明に係る情報表示用パネルの検査方法の第２発明においても、各セルを複数の画素に分割し、画素毎の濃度から粒子充填量を求めているため、粒子群の各セル内での充填状態をより正確に検査することができ、均一な粒子群の充填に寄与することができる。
【００２６】
なお、上述した第１発明および第２発明に係る検査方法において、撮像装置にて基板全面を撮像する際、基板に対し、基板下側から照明を照射する透過照明と撮影面から照明を照射する反射照明とを用いて、撮像対象の状態に応じて、任意に反射照明および透過照明の切り替えを行い、反射照明のみを行う例、透過照明のみを行う例、反射照明および透過照明の両者を行う例、を選択することが、画像処理に適した画像を得ることができるため好ましい。また、画像処理をするに際し、基板の隔壁をマスクをかけることで除去すると、隔壁が無いものとしてセル内部のみの輝度測定を行え、精度の高い濃度測定が行えるため好ましい。
【００２７】
＜本発明の情報表示用パネルの検査装置について＞
図８および図９はそれぞれ本発明の情報表示用パネルの検査装置の一例を説明するための図である。
【００２８】
図８に示す例においては、複数のローラ１１を並べて構成されている搬送装置１２上を、粒子充填の終了した透明な基板１３が一定速度で搬送される。搬送されてくる透明な基板１３の全面の画像を、搬送装置１２の上側に設けられたラインタイプのＣＣＤカメラ１４により、一定間隔でライン画像を撮像して得ることができる。ＣＣＤカメラ１４の両側には、バータイプの反射照明１５−１、１５−２を設けるとともに、ＣＣＤカメラ１４の位置に対応して、ＣＣＤカメラ１４とは基板１３に対して反対側の基板１３の裏側には、同じくバータイプの透過照明１６を設けている。反射照明１５−１、１５−２および透過照明１６の点灯制御は、制御装置１７が行っている。そして、ＣＣＤカメラ１４により撮像された基板１３の全面の画像データは、制御装置１７で制御されている画像処理装置１８に供給され、画像処理装置１８において、上述した本発明の検査方法が実施される。
【００２９】
図９に示す例においては、透明な基台２１上に、粒子充填の終了した透明な基板１３を載置する。そして、Ｘ軸モータ２２およびＹ軸モータ２３を協働させて、Ｘ軸モータ２２に装着したエリアカメラタイプのＣＣＤカメラ２４を、基板１３に対しＸ軸方向およびＹ軸方向に移動させる。これにより、基板１３の全面の画像を、ＣＣＤカメラ２４で撮像している。Ｘ軸モータ２２には反射照明１５が設けられ、透明な基板２１の基板１３を載置した側と反対側の下側には、透過照明１６を設けている。反射照明１５および透過照明１６の点灯制御は、制御装置１７が行っている。そして、ＣＣＤカメラ２４で撮像された基板１３の全面の画像データは、制御装置１７で制御される画像処理装置１８に供給され、画像処理装置１８において、上述した本発明の検査方法が実施される。
【００３０】
図８および図９に示す情報表示用パネルの検査装置によれば、上述した本発明の情報表示用パネルの検査方法を好適に実施することができる。
【産業上の利用可能性】
【００３１】
本発明の検査対象となる情報表示用パネル（電子ペーパー）は、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（本発明に係る画素サイズの電界形成用画素電極対を有する外部電界形成手段を用いて書換えできるものや、外部の表示書換え手段に接続して情報を書き換えた後、接続を解放しても情報を表示したままにすることができるもの）としても好適に用いられる。
【符号の説明】
【００３２】
１、２  基板
３Ｗ  白色表示媒体
３Ｗａ  負帯電性白色粒子
３Ｂ  黒色表示媒体
３Ｂａ  正帯電性黒色粒子
４  隔壁
５、６  電極
７  セル
８  接着剤
１１  ローラ
１２  搬送装置
１３  透明な基板
１４  インラインタイプのＣＣＤカメラ
１５、１５−１、１５−２  反射照明
１６  透過照明
１７  制御装置
１８  画像処理装置
２１  透明な基台
２２  Ｘ軸モータ
２３  Ｙ軸モータ
２４  エリアカメラタイプのＣＣＤカメラ
【図１】
2011247939.tif 000003
【図２】
2011247939.tif 000004
【図３】
2011247939.tif 000005
【図４】
2011247939.tif 000006
【図５】
2011247939.tif 000007
【図６】
2011247939.tif 000008
【図７】
2011247939.tif 000009
【図８】
2011247939.tif 000010
【図９】
2011247939.tif 000011